(57)【要約】【課題】  販売機本体の左右寸法を小さくして設置自由度を向上させるとともに、前扉の背面側のスペース効率を向上させる。【解決手段】  前部を開口した略箱状の販売機本体１０２と、販売機本体１０２の前部開口１０２ａを開閉する前扉１０４と、前扉１０４の背面に配され箱状のストッカ部１３６を有する硬貨処理装置１１４と、を備え、前扉１０４の左右周縁に形成された各突出部の左右内側と硬貨処理装置１１４のストッカ部１３６の左右外側とを近接させて構成し、前扉１０４の左右寸法を小さくするとともに前扉１０４の背面側に無駄なスペースが生じないようにした。【選択図】  図２
2006285347.tif 000002
【特許請求の範囲】
【請求項１】
内部に商品収納コラムが配され、前部を開口した略箱状の販売機本体と、
前記販売機本体の前部開口を開閉し、左右周縁にそれぞれ形成され前記販売機本体側へ突出する突出部を有する前扉と、
前記前扉の背面に配され箱状のストッカ部を有する硬貨処理装置と、を備え、
前記前扉の各突出部の左右内側と、前記硬貨処理装置のストッカ部の左右外側と、を近接させて構成したことを特徴とする自動販売機。
【請求項２】
前記前扉に配される商品展示部を備え、
前記商品展示部の左右寸法を前記硬貨処理装置の左右寸法と略同じとし、前記商品展示部と前記硬貨処理装置を前記前扉にて上下に並べて配したことを特徴とする請求項１に記載の自動販売機。
【請求項３】
前記前扉には商品取出口が形成されるとともに紙幣識別装置が配され、
前記商品展示部、前記紙幣識別装置、前記硬貨処理装置及び前記商品取出口を、上から下へ向かってこの順に並べて配したことを特徴とする請求項２に記載の自動販売機。
【請求項４】
前記商品展示部は、前記前扉に設けられた透明板の後方に配されたダミー商品を支持する支持板を有し、
前記支持板を前記前扉の上側に上下方向を軸として回動自在に設けたことを特徴とする請求項２または３に記載の自動販売機。
【請求項５】
前記販売機本体の下部角部に設けられ、所定方向に延在する平坦な複数の接地金具を備え、
前記接地金具の延在方向一端側を前記販売機本体に水平方向へ回転可能に支持させ、前記接地金具の延在方向他端側が前記販売機本体から突出する方向を上面視にて選択可能としたことを特徴とする請求項１から４のいずれか一項に記載の自動販売機。
【請求項６】
前記販売機本体には複数の前記商品収納コラムが配され、
前記支持板には複数の前記ダミー商品が支持されることを特徴とする請求項４に記載の自動販売機。
【請求項７】
前記商品収納コラムを上下に複数並設し
各商品収納コラムから払い出された商品を前記前扉の商品取出口へ案内する案内通路を前記販売機本体の後壁側に形成したことを特徴とする請求項１から６のいずれか一項に記載の自動販売機。
【請求項８】
前記販売機本体と前記前扉のロックを行う錠前を略円筒状に形成し、
前記前扉に前記錠前と前記硬貨処理装置の硬貨払戻口を左右に並設したことを特徴とする請求項１から７のいずれか一項に記載の自動販売機。
【請求項９】
前記販売機本体の前部開口を前記前扉が塞いだ状態で、前記販売機本体の上部と前記前扉の上部との間に左右方向にわたって介在するシール部材を設けたことを特徴とする請求項１から８のいずれか一項に記載の自動販売機。
【請求項１０】
前記販売機本体の左右寸法は約２００ｍｍであることを特徴とする請求項１から９のいずれか一項に記載の自動販売機。
【発明の詳細な説明】
【技術分野】
【０００１】
本発明は、前部を開口した略箱状の販売機本体と、この販売機本体の前部開口を開閉する前扉と、を有する自動販売機に関する。
【背景技術】
【０００２】
たばこ、飲料等の自動販売機では、前部を開口し商品が収納される略箱状の販売機本体と、この販売機本体の前部を閉塞する前扉とを備えたものが一般的である。この種の自動販売機においては、前扉の前面に商品展示部が形成されるとともに、前扉の正面右側に硬貨処理装置が設置される。前扉の左右周縁には販売機本体側へ突出する「チャンネル」と称される突出部が形成され、前扉が閉じた状態で、外観上、突出部と販売機本体の側壁とが略面一となり、自動販売機全体として略箱状を呈するようになっている。
【０００３】
この種の自動販売機では、販売機本体の左右寸法を約８００ｍｍ〜約１１００ｍｍ程度とするものが一般的である。これにより、販売機本体の内部に複数の商品収納コラムを配置するとともに、前扉に複数のダミー商品を左右に並べるとともに商品の広告を行う商品展示部を形成することができる。通常、商品展示部の上側にダミー商品が並べられ、下側は商品の広告スペースとして利用される（例えば、特許文献１参照。）。
【０００４】
前扉の前面には、硬貨処理装置の硬貨投入口及び硬貨払出口と、紙幣識別装置の紙幣挿入口が配される。前扉の正面右側の領域は硬貨処理装置及び紙幣識別装置により占められ、商品展示部はこれらの装置の左側に並んで配されることとなる。また、硬貨処理装置及び紙幣識別装置は、左右に並べて配置されることが多い。
【特許文献１】特開２００３−０５１０５８号公報
【発明の開示】
【発明が解決しようとする課題】
【０００５】
このように、前記自動販売機では、前扉にて商品展示部、紙幣識別装置等と、硬貨処理装置とが左右に並ぶ領域が生じるので販売機全体として左右寸法が嵩み、設置スペースを比較的大きく確保しなければならない。すなわち、自動販売機の設置場所が限定されるという課題を有している。
【０００６】
このような設置困難な比較的狭い場所にも自動販売機を設置することができれば多くの商品を販売に供することができ、販売者及び需用者の双方にとってのぞましい。
また、新製品の売れ行きを打診する場合などは多くの商品を取り扱う必要はなく、数種類程度の新製品を販売する小型の専用機が市場でのぞまれているという実態もある。
【０００７】
さらには、前記自動販売機では、前扉の背面における正面左側のスペースに何ら装置が配されない部分が生じ、スペース効率が悪いという課題も有している。
【０００８】
本発明は、前記事情に鑑みてなされたものであり、その目的とするところは、販売機本体の左右寸法を小さくして設置自由度を向上させるとともに、前扉の背面側のスペース効率を向上させた自動販売機を提供することにある。
【課題を解決するための手段】
【０００９】
前記目的を達成するため、本発明では、自動販売機において、
内部に商品収納コラムが配され、前部を開口した略箱状の販売機本体と、
前記販売機本体の前部開口を開閉し、左右周縁にそれぞれ形成され前記販売機本体側へ突出する突出部を有する前扉と、
前記前扉の背面に配され箱状のストッカ部を有する硬貨処理装置と、を備え、
前記前扉の各突出部の左右内側と、前記硬貨処理装置のストッカ部の左右外側と、を近接させて構成したことを特徴とする。
【００１０】
本発明の自動販売機によれば、前扉の各突出部の左右内側と、硬貨処理装置のストッカ部の左右外側とを近接させたことにより、前扉の左右寸法はストッカ部に対応した最小限の寸法となる。ここで、硬貨処理装置は前扉に設置される紙幣識別装置等と比して比較的大型であることから、他の装置を硬貨処理装置と同じ高さに配さない限りは、前扉の構成に支障をきたすことはない。
【００１１】
従って、従来に比して前扉の左右寸法及び販売機本体の左右寸法を格段に小さくすることができ、比較的小さな設置スペースを確保すればよいことになる。これにより、従来の自動販売機が設置困難であった他の自動販売機同士や壁と他の自動販売機の隙間に設置することができる。
【００１２】
また、各突出部とストッカ部とを近接させたことによって前扉の背面側には余剰なスペースが殆どなくなり、自動販売機としての必要な機能を集約した理想的な装置レイアウトを実現することができる。そして、前扉には硬貨処理装置をはじめとした各装置が密集し、例えば前扉のほぼ左右にわたって設置される硬貨処理装置を左右に延びる強度部材として機能させることができるなど、各装置により前扉に加わる負荷等を受け持つことができ、この結果、前扉の剛性、強度等が飛躍的に向上し、実用に際して極めて有利である。
【００１３】
また、上記自動販売機において、
前記前扉に配される商品展示部を備え、
前記商品展示部の左右寸法を前記硬貨処理装置の左右寸法と略同じとし、前記商品展示部と前記硬貨処理装置を前記前扉にて上下に並べて配することができる。
【００１４】
この自動販売機によれば、商品展示部の左右寸法を硬貨処理装置の左右寸法と略同じとしたので、商品展示部の左右外側も前扉の各突出部の左右内側と近接することとなり、商品展示部は前扉の左右周縁近くにまで形成され、商品の展示を余裕をもって行うことができる。
【００１５】
また、上記自動販売機において、
前記前扉には商品取出口が形成されるとともに紙幣識別装置が配され、
前記商品展示部、前記紙幣識別装置、前記硬貨処理装置及び前記商品取出口を、上から下へ向かってこの順に並べて配することができる。
【００１６】
この自動販売機によれば、商品展示部、紙幣識別装置、硬貨処理装置及び商品取出口が上から下へ向かってこの順に並べて配されており、購買者にとってみれば商品展示部がほぼ目線となり、硬貨処理装置の硬貨投入口及び紙幣識別装置の紙幣挿入口がほぼ腕の位置となるので極めて便利である。
【００１７】
また、上記自動販売機において、
前記商品展示部は、前記前扉に設けられた透明板の後方に配されたダミー商品を支持する支持板を有し、
前記支持板を前記前扉の上側に上下方向を軸として回動自在に設けることができる。
【００１８】
この自動販売機によれば、ダミー商品が支持される支持板を前扉に対して回動自在としたので、販売機本体に対して前扉を開放状態とした際に、支持板を前扉に対して回動させることにより、ダミー商品の脱着作業を行うことができ、ダミー商品の取扱いが簡単容易である。すなわち、前扉側に商品収納コラムが配され、この商品収納コラムとともにダミー商品を支持し販売機内前側を前後にほぼ仕切る中扉を有するもののように、ダミー商品の取扱い時に商品収納コラムごと中扉を開閉させるような煩雑な作業は発生しない。
【００１９】
また、上記自動販売機において、
前記販売機本体の下部角部に設けられ、所定方向に延在する平坦な複数の接地金具を備え、
前記接地金具の延在方向一端側を前記販売機本体に水平方向へ回転可能に支持させ、前記接地金具の延在方向他端側が前記販売機本体から突出する方向を上面視にて選択可能とすることができる。
【００２０】
この自動販売機によれば、各接地金具を販売機本体から前方又は後方へ突出させるよう設けることも、販売機本体から側方へ突出させるように設けることも可能となっている。すなわち、自動販売機が設置される場所に応じて接地金具の向きを変更することができる。
【００２１】
また、上記自動販売機において、
前記販売機本体には複数の前記商品収納コラムが配され、
前記支持板には複数の前記ダミー商品が支持される構成とすることができる。
【００２２】
この自動販売機によれば、複数のダミー商品が支持されるとともに複数の商品収納コラムを有するので、複数種類の商品を取り扱うことができる。
【００２３】
また、上記自動販売機において、
前記商品収納コラムを上下に複数並設し
各商品収納コラムから払い出された商品を前記前扉の商品取出口へ案内する案内通路を前記販売機本体の後壁側に形成することができる。
【００２４】
この自動販売機によれば、商品収納コラムが前扉にも配され、案内通路が販売機本体の商品収納コラムの前側に形成される従来のもののように、販売機本体の下側の商品収納コラムの前方にカバー部材を設ける必要がなく、部品点数を低減することができる。
また、販売機本体の前部スペースを案内通路に割いて、前扉を開放した際に販売機本体の手前から奥側の商品収納コラムまでの距離が大きくなって商品の収納作業時に不便となることもない。
【００２５】
また、上記自動販売機において、
前記販売機本体と前記前扉のロックを行う錠前を略円筒状に形成し、
前記前扉に前記錠前と前記硬貨処理装置の硬貨払戻口を左右に並設することができる。
【００２６】
この自動販売機によれば、錠前と硬貨払戻口を左右に並設したので、前扉のスペースを効率よく利用することができる。また、錠前が略円筒状であるので、ハンドルタイプ等に比して寸法を小さくして他部品との干渉を回避することができ、前扉をさらに小型とすることができる。
【００２７】
また、上記自動販売機において、
前記販売機本体の前部開口を前記前扉が塞いだ状態で、前記販売機本体の上部と前記前扉の上部との間に左右方向にわたって介在するシール部材を設けることができる。
【００２８】
この自動販売機によれば、シール部材により販売機本体と前扉の間隙からの雨水等の進入を抑制して、雨水を案内する樋部材を省略または小型化することができる。従って、前扉及び販売機本体のさらなる小型化を図ることができる。
【００２９】
また、上記自動販売機において、
前記販売機本体の左右寸法を約２００ｍｍとすることができる。
【００３０】
この自動販売機によれば、従来の標準的な左右寸法である約８００ｍｍ〜約１１００ｍｍに比して販売機本体の左右寸法を格段に小さくすることができる。
【発明の効果】
【００３１】
このように、本発明の自動販売機によれば、前扉及び販売機本体の左右方向寸法を小さくして設置自由度を向上させることができ、かつ、前扉の背面側のスペース効率を向上させることができる。
【発明を実施するための最良の形態】
【００３２】
図１から図６は本発明の一実施形態を示すもので、図１は自動販売機の外観斜視図であり、図２は前扉が開状態の自動販売機の外観斜視図であり、図３は自動販売機の縦断面図であり、図４は図３のＡ−Ａ断面図であり、図５は前扉が開状態でさらに支持板を前扉に対して回動させた状態を示す自動販売機の外観斜視図であり、図６は図３のＢ−Ｂ断面図である。
【００３３】
図１に示すように、この自動販売機１００は、前部を開口した略箱状の販売機本体１０２と、販売機本体１０２の前部開口１０２ａを開閉する前扉１０４と、を備えている。販売機本体１０２の下部角部には、それぞれ所定方向に延在する平坦な複数の接地金具１０６が備えられている。図２に示すように、販売機本体１０２の内部には複数の商品収納コラム１０８が配され、前扉１０４には商品展示部１１０、紙幣識別装置１１２及び硬貨処理装置１１４が配されるとともに商品取出口１１６が形成される。販売機本体１０２及び前扉１０４の左右寸法は約２００ｍｍであり、販売機本体１０２の高さ寸法は約１８３０ｍｍである。
【００３４】
前扉１０４は縦長に形成されており、正面右側の上下に配されたヒンジ部１１８により販売機本体１０２に軸支される。このヒンジ部１１８は、前扉１０４の回動角度が約９０°までは、正面視にて前扉１０４が販売機本体１０２の左側壁１２０よりも内側に位置するよう構成されている。すなわち、販売機本体１０２を、左側壁１２０が他の自動販売機等に隣接させて設置したとしても、前扉１０４を十分に開放することができ、各部のメンテナンス、商品の搬入、金銭の取り出し等に支障をきたすことはない。
【００３５】
販売機本体１０２と前扉１０４のロック機構は、販売機本体１０２の右側壁１２２の前端に形成されるフック１２４（図２参照）と、このフック１２４と係合するレバー部材１２６（図４参照）と、このレバー部材１２６に接続された錠前１２８（図１参照）と、を有する。図２に示すように、フック１２４は所定の間隔をおいて上下に２つ設けられ、それぞれ左右に板面を向けた平板状に形成される。
【００３６】
各フック１２４は、前後中央の上部が切り欠かれた鉤状に形成され、ロック時に切欠部分にレバー部材１２６が嵌り込むようになっている。ここで、図３に示すように、上側のフック１２４は、紙幣識別装置１１２と同じ高さに配される。図４に示すように、各フック１２４の前端左側は切り欠かれており、これによって前扉１０４開閉時における上側のフック１２４と紙幣識別装置１１２との干渉が確実に回避されるようになっている。
【００３７】
図１に示すように、ロック機構の錠前１２８は、略円筒状に形成され、鍵穴が前扉１０４の前面に露出している。作業者は鍵穴に所定の鍵を差し込んで回動することにより、レバー部材１２６と各フック１２４を係脱させて前扉１０４のロック及びロック解除を行う。
【００３８】
図２に示すように、前扉１０４の背面周縁には後方へ突出するチャンネル部１３０が形成され、硬貨処理装置１１４、紙幣識別装置１１２の主な部品は、前扉１０４のチャンネル部１３０の内側に配される。図１に示すように、このチャンネル部１３０は、前扉１０４を閉じた状態で、外見上、販売機本体１０２の左側壁１２０、右側壁１２２、上壁１３２と略面一となるよう形成される。
【００３９】
図２に示すように、右側のチャンネル部１３０の左右内側には、ロック機構のレバー部材１２６が配置されるレバー収容部１３４が連続的に形成される。すなわち、本実施形態においては、前扉１０４の右側周縁については、このチャンネル部１３０とレバー収容部１３４で突出部をなす。また、前扉１０４の左側周縁については、チャンネル部１３０単独で突出部をなす。図４に示すように、この自動販売機１００は、これら各突出部の左右内側と、硬貨処理装置１１４のストッカ部１３６と、を近接させて構成されている。ここで、硬貨処理装置１１４とストッカ部１３６の隙間は、各部品の寸法精度を考慮した最小限の隙間に設定されている。すなわち、硬貨処理装置１１４とストッカ部１３６をこれ以上近接させると、これらの部品が干渉するおそれが生じることとなる。
【００４０】
図１に示すように、前扉１０４上側のチャンネル部１３０は、前扉１０４が閉状態のときに、販売機本体１０２の上壁１３２の前端に設けられたシール部材１３８と当接する。シール部材１３８は、例えば樹脂等の弾性部材からなり、図２に示すように上壁１３２の左右にわたって延びる。そして、シール部材１３８は、前扉１０４が販売機本体１０２の前部開口１０２ａを閉塞した状態で、上壁１３２とチャンネル部１３０との間に左右にわたって介在する。本実施形態においては、シール部材１３８は前後に比較的厚めに形成され、従来公知の自動販売機よりも水密性能が向上している。
【００４１】
図２に示すように、前扉１０４には、商品展示部１１０、紙幣識別装置１１２、硬貨処理装置１１４及び商品取出口１１６が、上から下へ向かってこの順に並べて配されている。
【００４２】
前扉１０４の上側の所定範囲には穴部１０４ａが形成され、この穴部１０４ａに透明板１４０が嵌め込まれている。商品展示部１１０は、この透明板１４０の後方に配されダミー商品１４２を支持する支持板１４４を有する。図２に示すように、商品展示部１１０の左右寸法は硬貨処理装置１１４の左右寸法と略同じとされ、商品展示部１１０と硬貨処理装置１１４が前扉１０４にて上下に並べて配されている。
【００４３】
また、図１に示すように、支持板１４４には複数のダミー商品１４２が支持され、左右に２つ、上下に２つ並べて計４つのダミー商品１４２を展示可能となっている。各ダミー商品１４２は、支持板１４４に対して上下方向を軸として回動自在に支持されている。図１には、下側の各ダミー商品１４２を斜め右側へ向けて回動させた状態を示す。
【００４４】
図５に示すように、支持板１４４は前扉１０４の上側に上下方向を軸として回動自在に設けられ、前扉１０４を開状態とした状態で支持板１４４を前扉１０４に対して回動させることができる。図５に示すように、支持板１４４の前面には、左右に延びる蛍光灯１４６が、支持板１４４の上端側、下端側及び上下のダミー商品１４２の間にそれぞれ配される。
【００４５】
そして、透明板１４０における下端側の蛍光灯１４６及び各ダミー商品１４２の間の蛍光灯１４６の前方の領域には、上下に所定の幅を有し左右に延びる枠部１４８が形成される。この枠部１４８には各ダミー商品１４２に対応して選択ボタン１５０が配される。すなわち、各枠部１４８は、前方から蛍光灯１４６に加え、選択ボタン１５０に関する配線を購買者から隠蔽している。尚、上端側の蛍光灯１４６は、前扉１０４の穴部１０４ａの上縁よりも上方に配されており、前方からはほぼ視認されないようになっている。
【００４６】
また、図１に示すように、穴部１０４ａは前扉１０４の左右端部にまで達するよう形成され、左右のチャンネル部１３０が連続的に後方へ切り欠かれている。そして、図６に示すように、透明板１４０は、前扉１０４の前面と略面一に形成されるとともに、チャンネル部１３０に対応して左右両端が後方へ湾曲形成され、前扉１０４の側部とも略面一となっている。
【００４７】
図６に示すように、チャンネル部１３０の切り欠かれた部分の前端には、各ダミー商品１４２を側方からライトアップするための側方照明具１５２が配される。図１に示すように、側方照明具１５２は、チャンネル部１３０に沿って上下に延び、複数のＬＥＤを上下に並べて構成されている。また、各ダミー商品１４２の背面側には、各ダミー商品１４２を背面側からライトアップするための背面照明具（図示せず）が配される。背面照明具もまた複数のＬＥＤにより構成される。
【００４８】
商品展示部１１０の下側に配される紙幣識別装置１１２は上部が前方へ突出する箱状の装置本体１５４を有し（図３参照）、この装置本体１５４の上部前端に前扉１０４の前面に露出する紙幣挿入口１５６が形成される。紙幣挿入口１５６より投入された紙幣は、取扱紙幣であることが識別されると、装置本体１５４の内部に収納される。この識別は、光学的な方法や磁気的な方法またはこれらの組み合わせにより行われる。この紙幣識別装置１１２においては、取扱紙幣の幅寸法に加え、ローラの軸支部分の寸法を確保する必要があることから、所定の左右寸法よりは大きくなる。
【００４９】
図３に示すように、紙幣識別装置１１２の下側に配される硬貨処理装置１１４は、前扉１０４の前面に露出する硬貨投入口１５８及び硬貨払戻口１６０と、前扉１０４の背面に取り付けられる箱状のストッカ部１３６と、を有する。硬貨投入口１５８から投入された硬貨は、ストッカ部１３６へ上部から進入し、取扱対象硬貨であるか否かが識別され、取扱対象硬貨である場合にはストッカ部１３６内に硬貨がストックされる。投入された硬貨が取扱対象でない場合や釣銭を払い出す場合には、硬貨がストッカ部１３６の下部から排出され硬貨払戻口１６０へ案内される。この硬貨払戻口１６０と前述の錠前１２８は、前扉１０４に左右に並設されている。
【００５０】
この硬貨処理装置１１４では、取扱対象硬貨の識別を、硬貨の径、厚み、重量、材質、穴の有無、表面パターン等に基づいて行われる。ここで、取扱対象硬貨は、日本国内では５００円硬貨、１００円硬貨、５０円硬貨、１０円硬貨となっている。このように、硬貨処理装置１１４は、複数種類の硬貨を識別して別個にストックする必要があることから、ストッカ部１３６が所定の寸法よりは大きくなる。
【００５１】
この自動販売機１００は、前扉１０４側には商品収納コラム１０８が配されておらず、商品収納コラム１０８は全て販売機本体１０２に配される。すなわち、販売機本体１０２には、ダミー商品１４２と同数の商品収納コラム１０８が配される。ここでは、４つの商品収納コラム１０８に別種類の商品が収納され、商品展示部１１０に４種類のダミー商品１４２が展示されている。本実施形態においては、図２に示すように、計４つの商品収納コラム１０８が、上下２段で左右２列に配置される。この商品収納コラム１０８は、上下に商品を積層して収納し、商品払出装置１６２を用いて最下位の商品から順次に販売機本体１０２の後壁側に形成された案内通路（シュート）１６４へ払い出す。
【００５２】
図３に示すように、案内通路１６４は、各商品収納コラム１０８の下端後方から、販売機本体１０２の後部を経由して商品取出口１１６まで連続的に形成される。案内通路１６４は、販売機本体１０２の後部でほぼ上下に延び、販売機本体１０２の下部で前下がりに形成される。すなわち、商品払出装置１６２により後方へ払い出された商品は、販売機本体１０２の後部を自重により落下し、販売機本体１０２の下部にて案内通路１６４を滑落して商品取出口１１６へ案内される。
【００５３】
販売機本体１０２の下部角部の各接地金具１０６は、販売機本体１０２から下方へ突出する軸部材１６６と螺合する。各接地金具１０６は、延在方向一端側が販売機本体１０２に水平方向へ回転可能に支持されており、延在方向他端側が販売機本体１０２から突出する方向を上面視にて選択可能となっている。すなわち、前側角部の各接地金具１０６についてみれば、販売機本体１０２から前方へ突出させるよう設けることも、販売機本体１０２から側方へ突出させるように設けることも可能となっている。
【００５４】
ここで、接地金具１０６は複数種類用意されており、本実施形態においては、Ｓ型金具とＥ型金具の２種類が用いられる。Ｓ型金具は延在方向一端側がＥ型金具よりも大きく切り欠かれ、Ｅ型金具に比して薄く形成されている。すなわち、Ｅ型金具の方がＳ型金具よりも強度的に有利となっている。
【００５５】
図７から図９に各接地金具１０６のレイアウト例を示す。図７は自動販売機１００の正面右側に他の自動販売機が隣接する場合のレイアウト例であり、図８は自動販売機の正面左側に他の自動販売機が隣接する場合のレイアウト例であり、図９は自動販売機１００の両側に他の自動販売機がそれぞれ隣接する場合のレイアウト例である。
【００５６】
図７では、４つの接地金具１０６のうち正面左側の２つの接地金具１０６については、ともに正面左側へ突出するよう配される。正面左側の２つの接地金具１０６のうち、前側にはＥ型金具が用いられ、後側にはＳ型金具が用いられる。また、正面右側の接地金具１０６は、前側のものが前方へ突出し、後側のものが販売機本体１０２の内側へ向けて配される。図７においては、正面右側後方の接地金具１０６の延在方向他端側は正面左側を向くよう配されている。正面右側の接地金具１０６については、前側のものにはＥ型金具が用いられ、後側のものにはＳ型金具が用いられる。このレイアウトは、既に他の自動販売機が正面右側に設置された状態で、他の自動販売機の正面左側にて自動販売機１００を前方から後方へ移動させて設置することを想定したものである。
【００５７】
図８では、４つの接地金具１０６のうち正面右側の２つの接地金具１０６については、ともに正面右側へ突出するよう配される。正面右側の２つの接地金具１０６のうち、前側にはＳ型金具が用いられ、後側にはＥ型金具が用いられる。また、正面左側の接地金具１０６は、前側のものが前方へ突出し、後側のものが販売機本体１０２の内側へ向けて配される。図８においては、正面左側後方の接地金具１０６の延在方向他端側は前方を向くよう配されている。正面左側の接地金具１０６については、前側のものにはＥ型金具が用いられ、後側のものにはＳ型金具が用いられる。このレイアウトは、既に他の自動販売機が正面左側に設置された状態で、他の自動販売機の正面左側にて自動販売機１００を右方から左方へ移動させて設置することを想定したものである。
【００５８】
図９では、４つの接地金具１０６のうち前側の２つの接地金具１０６については、ともに前方へ突出するよう配される。前側の接地金具１０６はともにＥ型金具が用いられる。また、後方の接地金具１０６のうち、正面左側のものが省略され、正面右側のものが販売機本体１０２の内側へ向けて配される。図９においては、正面右側後方の接地金具１０６の延在方向他端側は正面左側を向くよう配されている。正面右側後方の接地金具１０６には、Ｓ型金具が用いられている。このレイアウトは、既に他の自動販売機が左右両側に設置された状態で、他の自動販売機同士の間隙にて自動販売機１００を前方から後方へ移動させて設置することを想定したものである。
【００５９】
尚、接地金具１０６を省略するに際しては、図９に示すように、自動販売機１００の両側に他の自動販売機や壁が存在して接地金具１０６の取付が困難であり、自動販売機１００が左右に転倒するおそれがない場合がのぞましい。
【００６０】
以上のように構成された自動販売機１００では、図４に示すように、前扉１０４の各突出部の左右内側と、硬貨処理装置１１４のストッカ部１３６の左右外側とを近接させたことにより、前扉１０４の左右寸法はストッカ部１３６に対応した最小限の寸法となる。ここで、硬貨処理装置１１４は前扉１０４に設置される紙幣識別装置１１２等と比して比較的大型であることから、他の装置を硬貨処理装置１１４と同じ高さに配さない限りは、前扉１０４の構成に支障をきたすことはない。
【００６１】
従って、従来に比して前扉１０４の左右寸法及び販売機本体１０２の左右寸法を格段に小さくすることができ、比較的小さな設置スペースを確保すればよいことになる。これにより、従来の自動販売機が設置困難であった他の自動販売機同士や壁と他の自動販売機の隙間に設置することができる（図９参照）。
【００６２】
また、図２に示すように、各突出部とストッカ部１３６とを近接させたことによって前扉１０４の背面側には余剰なスペースが殆どなくなり、自動販売機１００としての必要な機能を集約した理想的な装置レイアウトを実現することができる。そして、前扉１０４には硬貨処理装置１１４をはじめとした各装置が密集し、前扉１０４のほぼ左右にわたって設置される硬貨処理装置１１４を左右に延びる強度部材として機能させることができるなど、各装置により前扉１０４に加わる負荷等を受け持つことができ、この結果、前扉１０４の剛性、強度等が飛躍的に向上し、実用に際して極めて有利である。
【００６３】
このように、本実施形態の自動販売機１００によれば、前扉１０４及び販売機本体１０２の左右方向寸法を小さくして設置自由度を向上させることができ、かつ、前扉１０４の背面側のスペース効率を向上させることができる。
【００６４】
また、本実施形態の自動販売機１００によれば、商品展示部１１０の左右寸法を硬貨処理装置１１４の左右寸法と略同じとしたので、商品展示部１１０の左右外側も前扉１０４の各突出部の左右内側と近接することとなり、商品展示部１１０は前扉１０４の左右周縁近くにまで形成され、商品の展示を余裕をもって行うことができる。
【００６５】
また、透明板１４０を前扉１０４の左右周縁のチャンネル部１３０に対応する部分にまで形成したので、購買者は自動販売機１００の真正面に立たずとも商品展示部１１０のダミー商品１４２を視認することができる。すなわち、例えば、図９に示すように、他の自動販売機等に隣接する場所に設置した場合に、購買者が他の自動販売機の正面に立っていたとしても、斜め前方から本自動販売機１００の商品展示部１１０が視認される。従って、狭い場所に自動販売機１００を設置したとしても、商品展示部１１０を購買者に的確に視認させることができる。
【００６６】
さらに、ダミー商品１４２を上下方向を軸として回動自在としたので、自動販売機１００の設置場所や設置環境に応じて、ダミー商品１４２の向きを変更することができる。これにより、人通りの多い通路等にダミー商品１４２を向けたり、並設された他の自動販売機にダミー商品１４２を向けることにより、購買者に商品展示部１１０の商品をアピールすることができる。
【００６７】
また、商品展示部１１０、紙幣識別装置１１２、硬貨処理装置１１４及び商品取出口１１６が上から下へ向かってこの順に並べて配されており、購買者にとってみれば商品展示部１１０がほぼ目線となり、硬貨処理装置１１４の硬貨投入口１５８及び紙幣識別装置１１２の紙幣挿入口１５６がほぼ腕の位置となるので極めて便利である。
【００６８】
また、本実施形態の自動販売機１００によれば、各接地金具１０６を販売機本体１０２から前方又は後方へ突出させるよう設けることも、販売機本体１０２から側方へ突出させるように設けることも可能となっている。すなわち、自動販売機１００が設置される場所に応じて接地金具１０６の向きを変更することができる。
【００６９】
すなわち、販売機本体１０２の右側或いは左側に他の自動販売機等が位置する場合などは、図７及び（ｂ）に示すように、他の自動販売機等と対峙する各接地金具１０６を前方または後方に突出させ、側方へ突出しないようにして隣接する自動販売機等との干渉を回避することができる。そして、他の自動販売機等と反対側の各接地金具１０６を側方へ突出させて、他の自動販売機と反対側への転倒を効果的に阻止することができる。
【００７０】
また、販売機本体１０２の両側に他の自動販売機等が位置する場合などは、図９に示すように、前側の各接地金具１０６を前方に突出させ、側方へ突出しないようにして隣接する自動販売機等との干渉を回避しつつ、販売機本体１０２の前方への転倒を効果的に阻止することができる。
【００７１】
また、本実施形態の自動販売機１００によれば、ダミー商品１４２が支持される支持板１４４を前扉１０４に対して回動自在としたので、販売機本体１０２に対して前扉１０４を開放状態とした際に、支持板１４４を前扉１０４に対して回動させることにより、ダミー商品１４２の脱着作業を行うことができ、ダミー商品１４２の取扱いが簡単容易である。すなわち、前扉側に商品収納コラムが配され、この商品収納コラムとともにダミー商品を支持し販売機内前側を前後にほぼ仕切る中扉を有するもののように、ダミー商品の取扱い時に商品収納コラムごと中扉を開閉させるような煩雑な作業は発生しない。
【００７２】
さらに、商品収納コラム１０８が前扉１０４にも配され案内通路１６４が販売機本体１０２の商品収納コラム１０８の前側に形成される従来のもののように、販売機本体１０２の下側の商品収納コラム１０８の前方にカバー部材を設ける必要がなく、部品点数を低減することができる。
また、販売機本体１０２の前部スペースを案内通路１６４に割いて、前扉１０４を開放した際に販売機本体１０２の手前から奥側の商品収納コラム１０８までの距離が大きくなって商品の収納作業時に不便となることもない。
【００７３】
また、複数のダミー商品１４２が支持されるとともに複数の商品収納コラム１０８を有するので、販売機本体１０２及び前扉１０４の小型化を図ったにもかかわらず複数の商品を取り扱うことができ、実用に際して極めて有利である。
【００７４】
さらに、本実施形態の自動販売機１００によれば、錠前１２８と硬貨払戻口１６０を左右に並設したので、前扉１０４のスペースを効率よく利用することができる。また、錠前１２８が略円筒状であるので、ハンドルタイプ等に比して寸法を小さくして他部品との干渉を回避することができ、前扉１０４をさらに小型とすることができる。
【００７５】
また、本実施形態の自動販売機１００によれば、シール部材１３８により販売機本体１０２と前扉１０４の間隙からの雨水等の進入を抑制して、雨水を案内する樋部材を省略または小型化することができる。従って、前扉１０４及び販売機本体１０２のさらなる小型化を図ることができる。
【００７６】
また、販売機本体１０２の左右寸法を約２００ｍｍとしたので、従来の標準的な左右寸法である約８００ｍｍ〜約１１００ｍｍに比して販売機本体の左右寸法を格段に小さくすることができる。そして、従来の約８００ｍｍ〜約１１００ｍｍの標準的な左右寸法の自動販売機で設置することができなかったスペースに設置することができる。さらに、販売機本体１０２の高さ寸法を、標準的な高さ寸法の自動販売機と同様に約１８３０ｍｍとしたので、他の自動販売機と隣接して設置しても外観を損なうことはなく、他の自動販売機との組み合わせての設置に好適である。
【００７７】
また、ロック機構のフック１２４の先端の左右内側を斜めに切り欠いて、前扉１０４の開閉時にフック１２４と紙幣識別装置１１２との干渉を確実に回避するようにしたので、ロック機構の機能を損なうことなく、前扉１０４の左右短小化に対応することができる。
【００７８】
尚、前記実施形態においては、たばこ用の自動販売機１００に本発明を適用したものを示したが、飲料用、食品用等の自動販売機にも適用可能であることは勿論である。
【００７９】
また、前記実施形態においては、販売機本体１０２及び前扉１０４の左右寸法が約２００ｍｍであるものを示したが、チャンネル部１３０と硬貨処理装置１１４が近接していれば、この寸法に限定されるものではない。すなわち、例えば、硬貨処理装置１１４のストッカ部１３６の左右寸法が前記実施形態より大きかったり、各部品の寸法精度を下げて硬貨処理装置１１４とチャンネル部１３０の隙間を大きく確保する場合などは左右寸法は広がることとなる。この逆に、例えば、取扱対象硬貨の種類を減らすなどして、ストッカ部１３６の左右寸法が前記実施形態より小さくなったり、各部品の寸法精度を上げて硬貨処理装置１１４とチャンネル部１３０の隙間を小さくできる場合などは左右寸法は狭まることとなる。
【００８０】
また、前記実施形態においては、４つの商品収納コラム１０８に別種類の商品を収納するとともに、商品展示部１１０には４種類のダミー商品１４２を展示するものを示したが、例えば、４つの商品収納コラム１０８のうち２つに商品を収納して残りの２つに景品を収納するとともに、商品展示部１１０に２種類のダミー商品１４２と景品を展示するようにしてもよい。
【００８１】
また、前記実施形態においては、前扉１０４の右側周縁については、レバー収容部１３４がチャンネル部１３０と別個に形成されたものを示したが、レバー部材１２６がチャンネル部１３０に収容されているものであってもよいし、その他、具体的な細部構造等についても適宜に変更可能であることは勿論である。
【図面の簡単な説明】
【００８２】
【図１】本発明の一実施形態を示す自動販売機の外観斜視図である。
【図２】前扉が開状態の自動販売機の外観斜視図である。
【図３】自動販売機の縦断面図である。
【図４】図３のＡ−Ａ断面図である。
【図５】前扉が開状態で、さらに支持板を前扉に対して回動させた状態を示す自動販売機の外観斜視図である。
【図６】図３のＢ−Ｂ断面図である。
【図７】自動販売機の正面右側に他の自動販売機が隣接する場合の各接地金具のレイアウト例を示す自動販売機の平面説明図である。
【図８】自動販売機の正面左側に他の自動販売機が隣接する場合の各接地金具のレイアウト例を示す自動販売機の平面説明図である。
【図９】自動販売機の両側に他の自動販売機がそれぞれ隣接する場合のレイアウト例を示す自動販売機の平面説明図である。
【符号の説明】
【００８３】
１００        自動販売機
１０２        販売機本体
１０２ａ      前部開口
１０４        前扉
１０４ａ      穴部
１０６        接地金具
１０８        商品収納コラム
１１０        商品展示部
１１２        紙幣識別装置
１１４        硬貨処理装置
１１６        商品取出口
１１８        ヒンジ部
１２０        左側壁
１２２        右側壁
１２４        フック
１２６        レバー部材
１２８        錠前
１３０        チャンネル部
１３２        上壁
１３４        レバー収容部
１３６        ストッカ部
１３８        シール部材
１４０        透明板
１４２        ダミー商品
１４４        支持板
１４６        蛍光灯
１４８        枠部
１５０        選択ボタン
１５２        側方照明具
１５４        装置本体
１５６        紙幣挿入口
１５８        硬貨投入口
１６０        硬貨払戻口
１６２        商品払出装置
１６４        案内通路
１６６        軸部材
【図１】
2006285347.tif 000003
【図２】
2006285347.tif 000004
【図３】
2006285347.tif 000005
【図４】
2006285347.tif 000006
【図５】
2006285347.tif 000007
【図６】
2006285347.tif 000008
【図７】
2006285347.tif 000009
【図８】
2006285347.tif 000010
【図９】
2006285347.tif 000011